(57)【要約】【課題】高枝の剪定作業においてのこぎりを使用した高枝切りが従来のままでは全く切れず使い物になっていなかった問題を解決する。【解決手段】上記課題を解決するために、のこぎりが切れなかった原因である枝の揺れを押えるフックを装備すると共に、鋸刃の構造が付け根から先端に向かって荒目から細目に変化するものとした。【選択図】　図１
2004016224.tif 000002
【特許請求の範囲】
【請求項１】
伸縮長尺パイプの先に鋸刃を装着した高枝専用のこぎりであって、対象物となる枝を引き付けるための枝用フックが鋸刃の下部両面に配置され、該枝用フックを動作するスライド型ハンドルと連結用巻取りワイヤーと枝用フックのスライド支持金具を伸縮長尺パイプ本体に装備される構成となっている事を特長とする高枝切り専用のこぎり。
【請求項２】
鋸刃の山切り面が、最後部から先端部に向かって荒目から細目に滑らかに変化した構造となっている事を特長とする高枝切り専用のこぎり。
【発明の詳細な説明】
【０００１】
【発明の属する技術分野】本発明は高枝を切るための専用のこぎりに関する。
【０００２】
【従来の技術】従来の高枝を切るためののこぎりは高枝剪定鋏み器具に鋸刃を装着する簡易方式が主流で、専用となっているものでも伸縮長尺パイプの先に鋸刃を装着しただけの構成であった。
【０００３】また、本発明に類似するものとして特願平１１−８０２４６の（ロープによる高枝切りのこぎり）なるものがある。
【０００４】
【発明が解決しようとする課題】高枝剪定鋏みに鋸刃を装着する従来方式では、剪定鋏みやその機能を果たす装置などの重量が無駄な労力となる。しかも高枝は相当に太いものでものこぎりを挽く動作に合わせて揺れるため幹付近の枝以外はほとんど切れない事は周知の事実であり実用とはならないものであった。
【０００５】例えば高枝の剪定作業を行なうために専門の高枝剪定鋏みを使用した場合５ミリ程度の枝を切るのが精々である。しかし最も剪定の対象物となる枝は１、２センチのものが主流となるためどうしてものこぎりを使用しなければならないのである。従って枝が鋸刃の動作によって動く問題を解決しなければ実用的な高枝剪定作業を地上から行なう事は出来ないのである。
【０００６】上記の問題解決を目的として（０００３）に記載の発明がなされたものであるが、本体の長尺パイプ側のフックを枝に掛け鋸刃側ををバネの反発を利用しロープによって動かす方式としている。しかし枝に切り込んだ刃がバネの力で動作する事など有り得ない事から全くの空論であり、実用とは程遠い発明といわざるを得ないのである。
【０００７】
【課題を解決する為の手段】先述したように枝切りには鋸刃使用が避けられない事から、請求項１の発明によれば鋸刃の両面にフック金具を装備し揺れる枝を手前に引き付けた状態のまま枝切り作業を行なう方式としたもので、枝を引き付ける力と枝が戻ろうとする反発力を相殺させて枝を安定させるものである。
【０００８】そしてフック金具は鋸刃の両面に２対並ぶ形態となっている。これは切り落とされる枝が左右どちらの場合でも片方のフックが残るため枝が折れてしまう問題を防止すると共に、切り落とした後に高枝切り本体の先端が落下し他の枝にぶつかる問題を防止する重要な働きをなすものである。
【０００９】更に、本発明では枝引き用フックを連結するワイヤーをハンドルと一体となったリールによって巻き取る方式を採用した。従って、パイプの伸縮においてワイヤーが垂れ下がり邪魔になる事がない上、製品としての美観上も問題のない形状となる。
【００１０】また請求項２の発明により、鋸刃が手前から先端にかけて荒目から細目に緩やかに変化する特殊構造となっているものである。これは従来ののこぎりには全く存在しないものであって、枝のように不安定な対象物を切断する場合には特に効果を発揮する構造である。
【００１１】その理由は、鋸刃が遥か先端にあるため微妙な力加減が出来ないため荒目の刃では枝に食い込んでしまい全く動かなくなってしまうからで、最初は細目の刃で切り入れ徐々に荒目へ移行する切り方が必要となるのである。
【００１２】以上のように、高枝を効果的に切断するには枝を安定させる装置と微妙な切断動作が可能となる鋸刃は絶対に必要な機能であって、あれば便利という発明とは全く異なるものである。
【００１３】
【発明の実施の形態】以下、実施の形態を図面を参照して説明する。
図１は本発明の高枝切り専用のこぎりの側面から見た断面図である。本体となる伸縮パイプＡの先端に折りたたみのこぎりＢが装着され、折りたたみのこぎりの支持部Ｂ−１の下部位置に枝用フックＣが配置される。
【００１４】そして本体手元には握り取っ手Ｄと枝用フックを動作するハンドルＥが前後可動式で具備されると共に、枝用フックと連結されるワイヤーＥ−１を巻き取るリールＥ−２が装着されている。
【００１５】図３は本発明の枝用フックの構造例を示す拡大図であり、本図面では連結ワイヤーをパイプ内に収めたものである。
【００１６】枝用フックＣは前後可動する支持部Ｃ−２に軸止され、軸棒部Ｃ−１と枝を捕らえる突起部を備えたカギ型からなり、一体構造をなしながら鋸刃の両面に並列する形態である。そして上下に首振り幅を持っており使用時は鋸刃より下部に位置するが、のこぎりの支持部Ｂ−１の立幅位置でロックする事も出来るため使用しない時に邪魔になる事がないのである。
【００１７】フックの支持部Ｃ−２は本体ガイド部Ａ−１を滑るように前後移動する形態でのこぎりの長さ分だけ前後移動し、枝用フックの先端がのこぎりの先端以内に収まる動きとなっている。
【００１８】支持部Ｃ−２に連結されたワイヤーＥ−１はパイプ内もしくはパイプ外を通りリールＥ−２内のバネに軸止されるが、該バネは伸縮パイプの伸ばし具合によるワイヤーの余りを巻き取るものであって、枝を引く負担が掛かるものではない。従ってリールに特別な強度や複雑な機能は必要がなく簡素なもので十分である。
【００１９】リールＥ−２はハンドルＥと一体となっており、本体を前後移動する形態であるが、実際にはハンドルを固定するように支えて持ち、ハンドルを支持ベースとして本体を前後に動かして枝を切るのである。
【００２０】以上に説明した本発明の構造については、その機能を有するならば厳格に規定するものではなく、例えばワイヤーを収納するリール方式は便利ではあるがプロの職人が使用する高枝切りの場合には伸縮パイプより継ぎ足しの方が実用であり、その場合パイプの外に通した長いロープを手で操作する方式が良い事になる。
【００２１】また鋸刃の構造において、本発明では付け根から先端に向かって目が細くなっているが、逆に付け根から先端に向かって目が荒くなる構造でも構わない。
【００２２】
【実施例】ここでは本発明の高枝切り専用のこぎりを使用する場合のプロセスと機能説明を行なうものとする。
【００２３】先ず、折りたたんだのこぎりを開き枝用フックを留め金１０から外し伸縮パイプ本体を任意長に伸ばしリールをロックする。これで枝用フックが鋸刃面より下部に降り枝を取り込む状態となる。そして枝用フックを枝に掛けてハンドルを引きながら枝の反発力が高くなる位置に持って来るのである。
【００２４】次からが実際に枝を切る作業に入るもので、現時点では枝の位置が鋸刃の付け根になっている状態である。従ってハンドルをそのままの位置で支えながら本体を動くだけ引くと枝が鋸刃の先端に来るのである。
【００２５】上記の動作はそのまま枝切りの動作となっており、のこぎりが枝から外れる事もなく快適に枝切りが行なえるのである。しかも切り始めに鋸刃の目の細い位置を使用し、少しずつ目の荒い方に替える事でどんな枝でも簡単に軽快に切る事が出来るのである。
【００２６】枝を切り込んで行くと枝用フックの首振り機能により鋸刃と交差する事により相当に太い枝でもフックが邪魔になる事がないのである。
【００２７】
【効果】以上説明したように本発明の主張する所は従来使い物にならなかった高枝のこぎりを普通に使用出来るようにする事が第一にあるのである。例えば庭木職人などは脚立や梯子を使うか、もしくは直接木に登って枝を切るのが一般的で、高枝切りのこぎりを使用する事はほとんどないのであるが、それは従来の高枝切りのこぎりが全く使い物にならない事を知っているからである。
【００２８】本発明により、高枝切りにのこぎりが実際に使えるとなれば剪定作業に極めて大きな影響をもたらすものであり、今まで不可能な場所の枝を剪定する事も可能になるため庭木を持つ家庭や職人にとって必需品となるほどの価値に生まれ変わるのである。
【００２９】また本発明の鋸刃構造は高枝切りには特に重要な機能であり、従来のように鋸刃が枝に食い込み動かなくなる問題が全くなくなると共に、さまざまな太さの枝に鋸刃１本で対応出来るものとなる。
【図面の簡単な説明】
【図１】本発明を側面から見た場合の断面図と鋸刃構造を示す。
【図２】本発明の全体の平面図である。
【図３】折りたたみ時の構造を示す拡大図である。
【符号の説明】
Ａ：伸縮パイプ
Ａ−１：ガイド部
Ｂ：折りたたみのこぎり
Ｂ−１：折りたたみのこぎりの支持部
Ｃ：枝用フック
Ｃ−１：ガイド部
Ｃ−２：枝用フック支持部
Ｄ：取っ手
Ｅ：ハンドル
Ｅ−１：ワイヤー
Ｅ−２：リール
１０：フック留め具
１１：リールのロック部
【図１】
2004016224.tif 000003
【図２】
2004016224.tif 000004
【図３】
2004016224.tif 000005